(57)【特許請求の範囲】
【請求項１】
屋外設置物を支持するために木造住宅の屋外水平部に造作される壁状突出部に備えられるこの屋外設置物の設置用金物であって、
前記壁状突出部を構成する柱材に支持される水平材に穿設された縦貫通孔に下方から挿通されるボルト体と、
このボルト体における前記縦貫通孔から突き出される箇所にネジつけられてこのボルト体の頭部との間で前記水平材を挟持する中間ナット体と、
前記ボルト体における中間ナット体から突き出される箇所にネジつけられてこの中間ナット体との間で前記屋上設置物の固定金物を挟持する上部ナット体とを備えてなると共に、
前記中間ナット体は、スリーブ状をなし、その上端側の内側に前記ボルト体に対する雌ネジ部を有し、その下端とこの雌ネジ部との間を無ネジ部とし、さらに、前記雌ネジ部と前記下端との間に防水用接着剤の注入孔を有すると共に、この注入孔と前記雌ネジ部との間に防水用接着剤の流出孔を有していることを特徴とする屋外設置物の設置用金物。
【請求項２】
天板部と側板部とを有して下面を開放させると共に、天板部にボルト体の挿通孔を備え、上部ナット体の締め込みにより屋上設置物の固定金物と中間ナット体との間で挟持されるカバー体を備えてなることを特徴とする請求項１に記載の屋外設置物の設置用金物。
【発明の詳細な説明】
【技術分野】
【０００１】
この発明は、太陽電池パネルなどの屋外設置物を陸屋根などの木造住宅の屋外水平部に設置するにあたって用いられる金物に関する。
【背景技術】
【０００２】
住宅の屋根に太陽電池パネルなどの屋上設置物を設置するにあたっては、これを載置する架台を建物側に固定するための金物を建物側に備えさせる必要がある。従来、鉄筋コンクリート構造の住宅用のこうした金物は存在しているが、木造住宅における陸屋根用のものなどは存在していない。
【発明の概要】
【発明が解決しようとする課題】
【０００３】
この発明が解決しようとする主たる問題点は、木造住宅の屋外水平部に太陽電池パネルなどの屋外設置物を適切に設置し得る金物を提供する点にある。
【課題を解決するための手段】
【０００４】
前記課題を解決するために、この発明にあっては、屋外設置物の設置用金物を、屋外設置物を支持するために木造住宅の屋外水平部に造作される壁状突出部に備えられるこの屋外設置物の設置用金物であって、
前記壁状突出部を構成する柱材に支持される水平材に穿設された縦貫通孔に下方から挿通されるボルト体と、
このボルト体における前記縦貫通孔から突き出される箇所にネジつけられてこのボルト体の頭部との間で前記水平材を挟持する中間ナット体と、
前記ボルト体における中間ナット体から突き出される箇所にネジつけられてこの中間ナット体との間で前記屋上設置物の固定金物を挟持する上部ナット体とを備えてなると共に、
前記中間ナット体は、スリーブ状をなし、その上端側の内側に前記ボルト体に対する雌ネジ部を有し、その下端とこの雌ネジ部との間を無ネジ部とし、さらに、前記雌ネジ部と前記下端との間に防水用接着剤の注入孔を有すると共に、この注入孔と前記雌ネジ部との間に防水用接着剤の流出孔を有しているものとした。
【０００５】
壁状突出部を構成する水平材の縦貫通孔に前記ボルト体を挿通した後、このボルト体における前記縦貫通孔から上方に突き出される箇所に前記中間ナット体をネジつけることで、前記壁状突出部に設置用金物が備えられるようにすることができる。この状態から中間ナット体の前記注入孔より防水用接着剤をこれが前記流出孔から流れ出るまでこの中間ナット体内に注入することで、流出孔よりも下方において中間ナット体とボルト体との間の空隙及びボルト体と縦貫通孔との間の空隙を前記防水用接着剤で満たすことができ、これにより中間ナット体の上端側からの雨水の侵入を防ぐことができる。また、かかる防水用接着剤により設置用金物と水平材とを強固に一体化させることができると共に、経時的に水平材の収縮などが生じてもそれが水平材と設置用金物との取り付け状態にできるだけ影響を及ぼさないようにすることができ、さらに、ボルト体と中間ナット体との螺合状態も安定的に維持させることができる。
【０００６】
かかる設置用金物をさらに、天板部と側板部とを有して下面を開放させると共に、天板部にボルト体の挿通孔を備え、上部ナット体の締め込みにより屋上設置物の固定金物と中間ナット体との間で挟持されるカバー体を備えてなるものとしておくこともある。かかるカバー体を含んで設置用金物を構成させた場合、かかるカバー体により横方向からふき込まれる雨水の侵入を効果的に防止することができる。
【発明の効果】
【０００７】
この発明にかかる設置用金物は、木造住宅の屋外水平部に形成される壁状突出部に、雨水の浸入を効果的に防止した状態で、強固かつ安定的に備えさせることができ、よってかかる屋外水平部に太陽電池パネルなどの屋外設置物を適切に設置可能とするものである。
【図面の簡単な説明】
【０００８】
【図１】図１は実施の形態にかかる設置用金物の使用状態を示した断面構成図である。
【図２】図２は図１の要部を拡大して示した断面構成図である。
【図３】図３は実施の形態にかかる設置用金物の断面図である。
【図４】図４はカバー体を含んで構成される設置用金物の使用状態を示した断面構成図である。
【発明を実施するための形態】
【０００９】
以下、図１〜図４に基づいて、この発明の典型的な実施の形態について、説明する。この実施の形態にかかる設置用金物Ｊは、太陽電池パネルや看板などの屋外設置物を陸屋根、ベランダ、バルコニーなどの木造住宅の屋外水平部Ｒに設置するにあたって用いられるものである。より具体的には、かかる設置用金物Ｊは、前記屋外設置物を支持するために木造住宅の屋外水平部Ｒに造作される壁状突出部Ｆに備えられると共に、この壁状突出部Ｆの天端Ｆａから突き出される箇所には屋上設置物の固定金物Ｐａが取り付けられるようになっている。屋外設置物が太陽電池パネルである場合には、設置用金物Ｊの前記箇所には、かかる太陽電池パネルのパネル本体（図示は省略する。）の架台Ｐの固定金物Ｐａ（架台ベースなどと称される。）が取り付けられる。
【００１０】
前記壁状突出部Ｆは、水平材Ｆｃと、これを支える柱材Ｆｆとからなる構造体Ｆｂにより形成されるようになっている。図示の例では、かかる構造体Ｆｂは、上下の水平材Ｆｃと、両者の間に介在される左右および中間の柱材Ｆｆとにより構成されている。図示の例では、かかる構造体Ｆｂの下側の水平材Ｆｃを、木造住宅の陸屋根を構成する梁Ｂに止着した後、構造体Ｆｂの側部及び天端を木製の屋根下地材Ｆｇで覆い、その表面にＦＲＰ防水による防水仕上げ層Ｆｈを形成させることで、屋外水平部Ｒに前記壁状突出部Ｆを形成させるようにしている。設置用金物Ｊは、前記構造体Ｆｂを構成するに先だって上側の水平材Ｆｃに取り付けられる。図示の例では、このように取り付けられる設置用金物Ｊにおける壁状突出部Ｆの天端Ｆａから突き出される箇所には、後述の中間ナット体２の上端面より上方を除いて、前記防水仕上げ層Ｆｈが形成されるようになっている。
【００１１】
この実施の形態にかかる設置用金物Ｊは、ボルト体１と、中間ナット体２と、上部ナット体３とを備えてなる。
【００１２】
ボルト体１は、前記壁状突出部Ｆを構成する上側の水平材Ｆｃに穿設された縦貫通孔Ｆｄに下方から挿通される。ボルト体１は、雄ネジ部を持った軸部１ａと、この軸部１ａの一端に形成された円板状の頭部１ｂとを有している。
【００１３】
図示の例では、前記上側の水平材Ｆｃには、軸部１ａを通すが頭部１ｂを通さない大きさの縦貫通孔Ｆｄが形成されている。水平材Ｆｃの下部には、頭部１ｂを納める深さと大きさを備えた凹所Ｆｅが形成されており、縦貫通孔Ｆｄの下側の孔口はこの凹所Ｆｅに連通している。図示の例では、ボルト体１の軸部１ａの基部には、周回テーパー部１ｃが形成されている。この周回テーパー部１ｃは頭部１ｂの側に向かうに連れて拡径となるように構成されており、その最大径は縦貫通孔Ｆｄの孔径よりも大きくなっている。
【００１４】
中間ナット体２は、前記ボルト体１における前記縦貫通孔Ｆｄから突き出される箇所にネジつけられてこのボルト体１の頭部１ｂとの間で前記上側の水平材Ｆｃを挟持する。それと共に、この中間ナット体２は、スリーブ状をなし、その上端２ａ側の内側に前記ボルト体１に対する雌ネジ部２ｃを有し、その下端２ｂとこの雌ネジ部２ｃとの間を無ネジ部２ｄとし、さらに、前記雌ネジ部２ｃと前記下端２ｂとの間に防水用接着剤（図示は省略する。）の注入孔２ｅを有すると共に、この注入孔２ｅと前記雌ネジ部２ｃとの間に防水用接着剤の流出孔２ｇを有している。
【００１５】
図示の例では、中間ナット体２の外径はボルト体１の頭部１ｂの径と略等しくなっている。中間ナット体２の無ネジ部２ｄはボルト体１の軸部１ａの径よりも内径を大きくしている。中間ナット体２の下端面には、無ネジ部２ｄの穴口を縁取る周回突条部２ｈが形成されている。この周回突条部２ｈの外側面には、この周回突条部２ｈの基部に向かうに連れて拡径となるテーパー面２ｉとなっており、このテーパー面２ｉによって周回突条部２ｈの最大径は縦貫通孔Ｆｄの孔径よりも大きくなっている。また、図示の例では、前記注入孔２ｅにおける孔口部は防水用接着剤を注入しやすいように外方に向かうに連れて孔径を大きくするすり鉢状をなしている。
【００１６】
上部ナット体３は、前記ボルト体１における中間ナット体２から突き出される箇所にネジつけられてこの中間ナット体２との間で前記屋上設置物の固定金物Ｐａを挟持する。
【００１７】
図示の例では、上部ナット体３は六角ナット状を呈している。固定金物Ｐａは、ボルト体１の軸部１ａを通す貫通孔Ｐｃを備えた水平板部Ｐｂと、左右側板部Ｐｄ、Ｐｄと、この側板部Ｐｄの上端から外側に突き出す鍔板部Ｐｅとを有しており、架台Ｐに対して鍔板部Ｐｅをもって固定されるようになっている。図示の例では、固定金物Ｐａの前記貫通孔Ｐｃにボルト体１の軸部１ａを通した状態から、この軸部１ａに上部ナット体３をネジつけることで、この上部ナット体３と中間ナット体２の上端との間で固定金物Ｐａを挟持するようになっている。図中符号４はワッシャーであり、符号５はスプリングワッシャーである。
【００１８】
壁状突出部Ｆを構成する水平材Ｆｃの縦貫通孔Ｆｄに前記ボルト体１を挿通した後、このボルト体１における前記縦貫通孔Ｆｄから上方に突き出される箇所に前記中間ナット体２をネジつけることで、前記壁状突出部Ｆに設置用金物Ｊが備えられるようにすることができる。この状態から中間ナット体２の前記注入孔２ｅより防水用接着剤をこれが前記流出孔２ｇから流れ出るまでこの中間ナット体２内に注入することで、流出孔２ｇよりも下方において中間ナット体２とボルト体１との間の空隙及びボルト体１と縦貫通孔Ｆｄとの間の空隙を前記防水用接着剤で満たすことができ、これにより中間ナット体２の上端側からの雨水の侵入を防ぐことができる。また、かかる防水用接着剤により設置用金物Ｊと水平材Ｆｃとを強固に一体化させることができると共に、経時的に水平材Ｆｃの収縮などが生じてもそれが水平材Ｆｃと設置用金物Ｊとの取り付け状態にできるだけ影響を及ぼさないようにすることができ、さらに、ボルト体１と中間ナット体２との螺合状態も安定的に維持させることができる。
【００１９】
この実施の形態にあっては、前記ボルト体１の周回テーパー部１ｃと前記中間ナット体２のテーパー面２ｉとにより、前記水平材Ｆｃの縦貫通孔Ｆｄにボルト体１の軸部１ａを挿通した状態からこの軸部１ａに中間ナット体２をネジつけると、縦貫通孔Ｆｄ内に押し込まれる前記周回テーパー部１ｃ及びテーパー面２ｉの案内によりボルト体１の中心軸を縦貫通孔Ｆｄの孔軸に一致させるようにして前記水平材Ｆｃに設置用金物Ｊを備え付けることができる。すなわち、この実施の形態にかかる設置用金物Ｊによれば、水平材Ｆｃへの縦貫通孔Ｆｄの穿設位置が正確であれば、隣り合う設置用金物Ｊ間に格別の配慮をすることなく所期の距離が正確に開けられるようにして、かかる水平材Ｆｃに複数の設置用金物Ｊを備え付けさせることができる。また、これにより、水平材Ｆｃの縦貫通孔Ｆｄとボルト体１との間に、ボルト体１の軸部１ａの全周に亘って前記空隙を均一に形成させることができ、前記のように注入される防水用接着剤をボルト体１の軸部１ａの全周に偏り無く巡らせて雨水の浸入を適切に防ぐことができる。
【００２０】
図４は、以上に説明した設置用金物Ｊにさらに、カバー体６を備えさせた例を示している。かかるカバー体６は、天板部６ａと側板部６ｃとを有して下面を開放させると共に、天板部６ａにボルト体１の挿通孔６ｂを備え、上部ナット体３の締め込みにより屋上設置物の固定金物Ｐａと中間ナット体２との間で挟持されるようになっている。図示の例では、かかるカバー体６は、筒下端を前記のように開放させた短寸の円筒状を呈しており、閉塞された筒上端の中央に前記挿通孔６ｂを備えてなる。カバー体６の側板部Ｐｄの上下寸法は、このカバー体６を前記のように固定金物Ｐａと中間ナット体２との間で挟持した状態において、この側板部Ｐｄの下端と壁状突出部Ｆの天端Ｆａとの間に間隔ｘが形成されるように設定される。かかるカバー体６を含んで設置用金物Ｊを構成させた場合、かかるカバー体６により横方向からふき込まれる雨水の侵入を効果的に防止することができる。カバー体６と壁状突出部Ｆの天端Ｆａとの間には前記間隔ｘが形成されることから、設置用金物Ｊの突きだし基部での防水仕上げ層Ｆｈの状態のチェックは容易であり、この箇所での防水仕上げ層Ｆｈに切れなどが生じている場合にはその再施工を容易になすことができる。
【符号の説明】
【００２１】
１  ボルト体
１ｂ  頭部
２  中間ナット体
２ｃ  雌ネジ部
２ｄ  無ネジ部
２ｅ  注入孔
２ｇ  流出孔
３  上部ナット体
Ｆ  壁状突出部
Ｆｃ  水平材
Ｆｆ  柱材
【図１】
0005694036.tif 000002
【図２】
0005694036.tif 000003
【図３】
0005694036.tif 000004
【図４】
0005694036.tif 000005